(57)【要約】【課題】情報処理装置および情報処理システムを提案する。【解決手段】  放送番組および記録装置に記録された番組の番組情報を含み、ユーザ毎に蓄積されたコンテンツ情報を管理するサーバと、前記サーバから受信したコンテンツ情報の表示を制御する表示制御部と、前記表示制御部により表示制御されたコンテンツ情報から、視聴対象番組の選択を受け付ける選択部と、前記情報処理装置で選択された視聴対象番組の再生を制御する再生制御部と、を備える情報処理装置と、を備える、情報処理システム。【選択図】図１
2011120248.tif 000002
【特許請求の範囲】
【請求項１】
放送番組および記録装置に記録された番組の番組情報を含み、ユーザ毎に蓄積されたコンテンツ情報をサーバから受信する受信部と、
前記受信部により受信したコンテンツ情報の表示を制御する表示制御部と、
前記表示制御部により表示制御されたコンテンツ情報から、視聴対象番組の選択を受け付ける選択部と、
を備える、情報処理装置。
【請求項２】
放送番組および記録装置に記録された番組の番組情報を含み、ユーザ毎に蓄積されたコンテンツ情報を管理するサーバと、
前記サーバから受信したコンテンツ情報を表示し、表示されたコンテンツ情報から、ユーザによる視聴対象番組の選択を受け付ける情報処理装置と、を備え、
前記サーバは、前記情報処理装置で選択された視聴対象番組の再生を制御する再生制御部を備える、情報処理システム。
【請求項３】
前記再生制御部は、接続された記録再生機器に対して前記視聴対象番組を再生するよう制御する、請求項２記載の情報処理システム。
【請求項４】
前記再生制御部は、前記視聴対象番組が前記記録再生機器に既に記録されている番組か否かを判断し、既に記録されている場合に再生制御を行う、請求項３記載の情報処理システム。
【発明の詳細な説明】
【技術分野】
【０００１】
本発明は、情報処理装置及び情報処理方法及び携帯端末装置及び携帯端末情報処理方法及び記録再生装置及び記録再生方法に関する。詳しくは、予めインターネットやデジタル放送で送出された番組情報（コンテンツ情報）がデータベースに蓄積して抽出することができることを前提として、その番組情報を個人毎に携帯端末に表示させ、その表示させた情報に応じてＡＶ機器を制御することにより、番組名を選んで再生したり録画予約する放送番組記録再生装置及び放送番組記録再生用携帯端末装置に関する。
【背景技術】
【０００２】
従来技術において、番組録画予約をインターネット上の電子番組表を用いて行う環境が整備しつつある。例えば、同一出願人が提唱するｉＥＰＧ（インターネット電子番組ガイド）方式がある。このｉＥＰＧ方式は、インターネット上の番組予約サイトを利用して録画予約を行うシステム（録画システム、商品名：Ｇｉｇａ
Ｐｏｃｋｅｔ）用に開発されたものであり、インターネットＴＶガイドとして提供されているものである。この録画システムは、番組一覧から予約したい番組の予約ボタンを押すことで、放送局名、番組名、開始／終了時間などが記述されたテキストファイルがダウンロードされる。そして、この録画システムは、ダウンロードされた種々のデータを元に予約を行うことで、Ｗｅｂ上の操作だけで番組予約が可能になる。
【０００３】
又、個人の趣向に合わせた番組情報を用いて自動録画を行うサービスがパーソナルテレビ「ＲｅｐｌａｙＴＶ」、ＴｉＶｏ社に代表されるＰＶＲ（パーソナルビデオレコーダ）を主体にしたものがある。ＲｅｐｌａｙＴＶによるサービスは、パーソナルテレビと呼ばれるものの一つで、放送中のテレビ番組をリアルタイムにＨＤＤ（ハードディスクデバイス）に録画し、番組を見ながら一時停止したり、巻き戻したりできると共に、番組表を入手し、番組の役者、テーマ等で番組を選び、好きな番組だけを集めてＨＤＤ上に自分だけのチャンネルを作ることができる。
【０００４】
又、ＰＶＲを主体にしたサービスは、従来のようなＶＣＲ（ビデオテープレコーダ）のようなものだが、テープの代わりに大容量のハードディスクを使って何時間もの番組を録画できる。番組をリアルタイムで録画できる為、ＰＶＲ利用者は放送中の番組にポーズと巻き戻しを使ってコマーシャル抜きで番組を楽しむことが可能である。又、ＰＶＲは何十種類もの番組を選択して、後で見るために録画しておくこともできる。
【発明の概要】
【発明が解決しようとする課題】
【０００５】
しかしながら、上述したインターネットＴＶガイドにおけるサービスは、録画予約の設定と番組情報のダウンロードを行うのみで個人の趣向に合わせて番組情報を抽出するサービスはしていない。この個人の趣向に合わせた番組情報の抽出は、従来のＶＣＲの録画予約をリモコンで行うか又はパソコン（ＰＣ）上で行うかの違いで本質的にユーザの録画する意思が無ければ録画予約は実行されない。これは今後のデジタル多チャンネル時代には注意深く番組情報を確認しなければ見逃す番組が増える恐れがあるという問題がある。
【０００６】
又、上記したＲｅｐｌａｙＴＶ、ＰＶＲを使用したサービスにおいても、個人の趣向に合わせた録画は可能であるが、機器自体が独立した機器のため個人別の番組情報を統合的に管理することができないという問題がある。
【０００７】
従って、インターネットやデジタル放送等で送出された放送番組及びその情報が所定の記録媒体に蓄積されて抽出できることを前提として、個人の趣向に合わせた放送番組情報により所望の放送番組情報を簡単に選択して再生したり録画予約することができると共に、複数の個人別放送番組情報を統合管理できるようにすることに解決しなければならない課題を有する。
【課題を解決するための手段】
【０００８】
前記課題を解決する為、本発明に係る情報処理装置及び情報処理方法及び携帯端末装置及び携帯端末情報処理方法及び記録再生装置及び記録再生方法は次のような構成にすることである。
【０００９】
（１）ユーザ個人の趣向にあった放送番組の番組情報からなるコンテンツ情報を蓄積することができるデータベースを管理する番組管理手段と、該データベースに蓄積されている前記コンテンツ情報を電子機器に無線通信により伝達することができる伝達手段と、前記電子機器の制御に基づいて、放送番組からなるコンテンツを記録再生する機能を有する機器を制御する制御手段とからなる情報処理装置。
（２）前記電子機器は、携帯端末機であることを特徴とする（１）に記載の情報処理装置。
（３）前記携帯端末機は、プライベートな機器であることを特徴とする（２）に記載の情報処理装置。
（４）前記放送番組からなるコンテンツを記録再生する機能を有する機器は、オーディオ機器及び又はビデオ機器であることを特徴とする（１）に記載の情報処理装置。
（５）前記無線通信は、スペクトル拡散通信方式に基づくことを特徴とする（１）に記載の情報処理装置。
（６）前記電子機器の無線通信は、公衆回線を利用した通信と近距離無線通信とを適宜切り替えることができるようにしたことを特徴とする（１）に記載の情報処理装置。
（７）前記近距離無線通信は、Ｂｌｕｅｔｏｏｔｈ方式に基づくことを特徴とする（６）に記載の情報処理装置。
（８）前記近距離無線通信は、赤外線通信方式に基づくことを特徴とする（６）に記載の情報処理装置。
（９）ユーザ個人の趣向にあった放送番組の番組情報からなるコンテンツ情報を蓄積することができるデータベースを管理し、前記データベースに蓄積されている前記コンテンツ情報を電子機器に無線通信により伝達し、前記電子機器の制御に基づいて、放送番組からなるコンテンツを記録再生する機能を有する機器を制御することを特徴とする情報処理方法。
【００１０】
（１０）ユーザ個人の趣向にあった放送番組の番組情報からなるコンテンツ情報が蓄積されているデータベースからコンテンツ情報を無線通信により取得する取得手段と、該取得手段により得られた前記コンテンツ情報を表示するように制御する表示制御手段と、放送番組からなるコンテンツを記録再生する機能を有する機器を制御するコマンドを該機器の記録再生を制御するサーバに伝達するコマンド伝達手段とからなる携帯端末装置。
（１１）前記放送番組からなるコンテンツを記録再生する機能を有する機器は、オーディオ機器及び又はビデオ機器であることを特徴とする（１０）に記載の携帯端末装置。
（１２）前記無線通信は、スペクトル拡散通信方式に基づくことを特徴とする（１０）に記載の携帯端末装置。
（１３）前記無線通信は、公衆回線を利用した通信と近距離無線通信とを適宜切り替えることができるようにしたことを特徴とする（１０）に記載の携帯端末装置。
（１４）前記近距離無線通信は、Ｂｌｕｅｔｏｏｔｈ方式に基づくことを特徴とする（１３）に記載の携帯端末装置。
（１５）前記近距離無線通信は、赤外線通信方式に基づくことを特徴とする（１３）に記載の携帯端末装置。
（１６）ユーザ個人の趣向にあった放送番組の番組情報からなるコンテンツ情報が蓄積されているデータベースからコンテンツ情報を無線通信により取得し、前記無線通信により取得した前記コンテンツ情報を表示するように制御し、放送番組からなるコンテンツを記録再生する機能を有する機器を制御するコマンドを該機器の記録再生を制御するサーバに伝達することを特徴とする携帯端末情報処理方法。
（１７）放送番組からなるコンテンツを受信し記録する記録装置において、情報処理装置に接続され、携帯端末装置から前記情報処理装置を介して、選択され送られてきた記録再生を制御する制御信号を受信する受信手段と、前記制御信号を基に、放送番組からなるコンテンツを記録再生するように制御する制御手段とからなる記録再生装置。
（１８）放送番組からなるコンテンツを受信し記録する記録装置において、情報処理装置に接続され、携帯端末装置から前記情報処理装置を介して、選択され送られてきた記録再生を制御する制御信号を受信し、前記受信した制御信号を基に、放送番組からなるコンテンツを記録再生するように制御することを特徴とする記録再生方法。
【００１１】
また、上記課題を解決するために、本発明のある観点によれば、放送番組および記録装置に記録された番組の番組情報を含み、ユーザ毎に蓄積されたコンテンツ情報をサーバから受信する受信部と、前記受信部により受信したコンテンツ情報の表示を制御する表示制御部と、前記表示制御部により表示制御されたコンテンツ情報から、視聴対象番組の選択を受け付ける選択部と、を備える情報処理装置が提供される。
【００１２】
また、上記課題を解決するために、本発明の別の観点によれば、放送番組および記録装置に記録された番組の番組情報を含み、ユーザ毎に蓄積されたコンテンツ情報を管理するサーバと、前記サーバから受信したコンテンツ情報を表示し、表示されたコンテンツ情報から、ユーザによる視聴対象番組の選択を受け付ける情報処理装置と、を備え、前記サーバは、前記情報処理装置で選択された視聴対象番組の再生を制御する再生制御部を備える情報処理システムが提供される。
【００１３】
また、前記再生制御部は、接続された記録再生機器に対して前記視聴対象番組を再生するよう制御してもよい。
【００１４】
また、前記再生制御部は、前記視聴対象番組が前記記録再生機器に既に記録されている番組か否かを判断し、既に記録されている場合に再生制御を行ってもよい。
【発明の効果】
【００１５】
このように、本発明は、予めインターネットやデジタル放送等で送出された番組情報がデータベースに蓄積されて抽出できることを前提として、その番組情報を個人毎に携帯端末、例えば携帯電話機やＰＤＡ（Ｐｅｒｓｏｎａｌ
ＤａｔａＡｓｓｉｓｔａｎｃｅ；個人用携帯情報端末）に表示させ、その表示させた情報に応じてＡＶ機器を制御することにより、番組名を選べばその番組記録が何処に保存してあるかは関係なく再生することが可能となる。又、録画予約も番組名を選ぶのみで複雑な機器操作は不要になる。更に、無線通信により公衆回線に接続することができる携帯電話機、ＰＤＡと近距離無線データ通信であるＢｌｕｅｔｏｏｔｈ、無線ＬＡＮ、赤外線通信（ＩｒＤＡ等）の両方接続可能な仕組みを設けることで屋内外を問わず機器による録画予約などの操作が可能になる。
【図面の簡単な説明】
【００１６】
【図１】本発明の実施形態に係る放送番組記録再生装置の略示的な全体構成図である。
【図２】本発明の実施形態に係る放送番組記録再生用携帯端末装置の構成を示したブロック図である。
【図３】本発明の実施形態に係る放送番組記録再生用携帯端末装置の無線通信部の送信部の構成を示したブロック図である。
【図４】本発明の実施形態に係る放送番組記録再生用携帯端末装置の無線通信部の受信部の構成を示したブロック図である。
【図５】本発明の実施形態に係る放送番組記録再生用携帯端末装置を用いた放送番組記録再生装置において、屋内又は屋外で放送番組情報を選択して家電機器を制御する場合の説明図である。
【図６】本発明の実施形態に係る携帯端末機器とホームサーバ間の通信の手順を示したフローチャートである。
【図７】本発明の実施形態に係る携帯端末機器とホームサーバ間及びホームサーバと家電機器（ＶＣＲ及びＴＶ）の通信の手順を示した説明図である。
【発明を実施するための形態】
【００１７】
以下に、本発明の実施形態に係る情報処理装置及び情報処理方法及び携帯端末装置及び携帯端末情報処理方法及び記録再生装置及び記録再生方法の形態を図面を参照して説明する。
【００１８】
図１に示す装置構成図は、放送番組情報（コンテンツ情報）を蓄積することができるデータベースを備えたホームサーバ１００と、データベースに蓄積された放送番組情報を無線通信により受信する携帯端末２００と、放送番組を記録再生する機能を有する家電機器３００とから構成されている。この家電機器３００は、例えばＴｕｎｅｒ３０１や、ＨＤＤ３０２、ＶＣＲ３０３、ＴＶ３０４等から構成されている。
【００１９】
ホームサーバ１００は、放送番組の番組情報を蓄積するデータベースを管理する番組管理手段を備えており、インターネットやデジタル放送等から放送番組情報を取り込んで蓄積するハードディスク１１０と、図示しない取り込んだ放送番組情報から所望の放送番組情報を抽出する手段と、図示しない携帯端末２００と無線アクセス網等のネットワーク４００を介してデータ通信する通信手段及びＢｌｕｅｔｏｏｔｈや赤外線通信などの近距離無線方式による通信手段と、この２つの通信手段を切り替える図示しない切替ＳＷと、図示しない複数の家電機器３００とデイジーチェイン又はバス接続で接続して家電機器３００を制御する手段を備えた構成になっている。
【００２０】
携帯端末２００は、無線通信による伝達手段によりホームサーバ１００のデータベースに蓄積されている番組情報を受信することができる電子機器であり、ホームサーバ１００と無線アクセス網等のネットワーク４００を介してデータ通信する通信手段と、ホームサーバ１００とＢｌｕｅｔｏｏｔｈや赤外線通信などの近距離無線通信によるデータ通信する通信手段と、この２つの通信手段を切り替える切替ＳＷと、ホームサーバ１００に蓄積された個人用の放送番組情報を取り出して表示する手段と、取り出した放送番組情報を選択する手段とを備えた構成となっている。
【００２１】
このような構成からなる携帯端末２００の具体的な構成は、図２に示すように、携帯端末２００の各部を制御するＣＰＵ２１０と、ＣＰＵ２１０のプログラムが格納されたＲＯＭ２２０と、プログラムやデータが展開されるメモリ２３０と、データを表示する為の液晶表示部（ＬＣＤ）２４０と、この液晶表示部２４０を制御する表示コントローラ２５０と、表示されたデータを選択したり、家電機器３００（図１参照）の制御を行う為の操作ＳＷ２７０と、ホームサーバ１００（図１参照）と屋内及び屋外で通信する為の無線通信部２８０と、操作ＳＷ２７０の制御及び無線通信部２８０の制御を行うＩ／Ｏコントローラ２６０とからなる。
【００２２】
無線通信部２８０は、スペクトル拡散通信方式に基づいて公衆回線を利用した通信と近距離無線通信とを適宜切り替える機能を有しており、図３に示す無線送信部と、図４に示す無線受信部とから構成される。
【００２３】
図３に示す無線送信部は、ネットワーク４００を介してスペクトル拡散通信方式によりデータ送信するＤＳ（Ｄｉｒｅｃｔ
Ｓｐｅｃｔｒｕｍ）送信部２８１と、スペクトル拡散通信方式による近距離無線通信によってデータ送信するＦＨ（Ｆｒｅｑｕｅｎｃｙ Ｈｏｐｐｉｎｇ）送信部２８２と、ＤＳ送信部２８１とＦＨ送信部２８２との切り替えを行うスイッチＳＷ２８３と、ＤＳ送信部２８１とＦＨ送信部２８２を制御する制御部２８４とから構成される。
【００２４】
ＤＳ送信部２８１は、屋外から公衆回線である無線アクセス網等のネットワーク４００を介してホームサーバ１００と通信を行う為の送信部であり、データをスペクトル拡散処理（ＤＳ：直接拡散）するベースバンド回路２８１ａと、ベースバンド回路２８１ａで変換されたベースバンド信号を中間周波数に変換するＩＦ−ＢＢ変復調器２８１ｂと、中間周波数から無線周波数へ変換するＩＦ−ＲＦ変復調器２８１ｃと、無線周波数に変換されたデータ（信号）を所定の出力で送信するように増幅するＰｏｗｅｒＡＭＰ２８１ｄと、送信アンテナ２８１ｅとから構成される。
【００２５】
ＦＨ送信部２８２は、特に屋内でホームサーバ１００と通信を行う為の近距離無線送信部であり、データをスペクトル拡散処理（ＦＨ：周波数ホッピング）するベースバンド回路２８２ａと、ベースバンド回路２８２ａで変換されたベースバンド信号を中間周波数に変換するＩＦ−ＢＢ変復調器２８２ｂと、中間周波数から無線周波数へ変換するＩＦ−ＲＦ変復調器２８２ｃと、送信アンテナ２８２ｄからと構成される。
【００２６】
図４に示す無線受信部は、ネットワーク４００を介してスペクトル拡散処理が施されたデータ（信号）を受信処理するＤＳ（Ｄｉｒｅｃｔ
Ｓｐｅｃｔｒｕｍ）受信部２８５と、スペクトル拡散通信方式の近距離無線によるデータ（信号）を受信処理するＦＨ（Ｆｒｅｑｕｅｎｃｙ Ｈｏｐｐｉｎｇ）受信部２８６と、ＤＳ受信部２８５とＦＨ受信部２８６を切り替えるスイッチＳＷ２８７と、ＤＳ受信部２８５とＦＨ受信部２８６を制御する制御部２８８とから構成される。
【００２７】
ＤＳ受信部２８５は、屋外から公衆回線である無線アクセス網等のネットワーク４００を介してホームサーバ１００と通信を行う為の受信部であり、ホームサーバ１００からの番組情報等のデータ（信号）を受信する受信アンテナ２８５ｅと、受信した番組情報等のデータ（信号）を増幅するＬＮＡ（ローノイズアンプ）２８５ｄと、ＬＮＡ２８５ｄからの信号を無線周波数から中間周波数へ変換するＩＦ−ＲＦ変復調器２８５ｃと、中間周波数に変換された信号をベースバンド信号に変換するＩＦ−ＢＢ変復調器２８５ｂと、ベースバンド信号を復調（逆拡散）するベースバンド回路２８５ａとから構成される。
【００２８】
ＦＨ受信部２８６は、屋内でホームサーバ１００と通信を行う為の近距離無線受信部であり、ホームサーバ１００からの番組情報等のデータ（信号）を受信する受信アンテナ２８６ｅと、受信した番組情報等のデータ（信号）を増幅するＬＮＡ（ローノイズアンプ）２８６ｄと、ＬＮＡ２８６ｄからの信号を無線周波数から中間周波数へ変換するＩＦ−ＲＦ変復調器２８６ｃと、中間周波数に変換された信号をベースバンド信号に変換するＩＦ−ＢＢ変復調器２８６ｂと、ベースバンド信号を復調（逆拡散）するベースバンド回路２８６ａとから構成される。
【００２９】
家電機器３００は、図１に示すように、デジタル放送等の放送番組を受信するＴｕｎｅｒ（チューナ）３０１、放送番組等のデータを記録して蓄積するＨＤＤ（ハードディスクデバイス）３０２、放送番組を記録再生するＶＣＲ（ビデオカセットレコーダ）３０３、受信や記録した放送番組を映し出すＴＶ（テレビジョン受像機）３０４等から構成され、デイジーチェインやバス接続などによりホームサーバ１００に接続され、携帯端末２００からホームサーバ１００を介して制御される。
【００３０】
次に、このような機器で構成されるシステムにおいて、屋内で電子機器である携帯端末から放送番組を記録再生する機能を有する機器である家電機器を操作する場合について図面を参照して説明する。
【００３１】
図５に示すシステムは、上記図１に示したホームサーバ１００と、上記図２で示した携帯端末２００と、家電機器３００（ＨＤＤ３０２、ＶＣＲ３０３、ＴＶ３０４）とからなり、この家電機器３００はホームサーバ１００に接続されている。
【００３２】
ホームサーバ１００内の図示しないハードディスク１１０等の記録蓄積媒体には、インターネット等のネットワークから取り込んだ放送番組情報から個人の趣向に合わせた放送番組情報を抽出して蓄積される。又、家電機器３００（ＶＣＲ３０３等）は放送番組を記録したり、図示しない放送番組を蓄積しているサーバ等から所望の放送番組を受領することができる構成になっている。
【００３３】
まず、ホームサーバ１００と携帯端末２００間におけるデータ通信の概略を図６に基づいて説明する。
【００３４】
ホームサーバ１００は、常時携帯端末２００からの接続を待機している状態である（ステップＳＴ１１０）。ユーザが操作スイッチ等を操作すると、携帯端末２００は、屋内又は屋外からホームサーバ１００へ接続要求する。ホームサーバ１００は、携帯端末２００からの接続要求が屋内又は屋外からの接続であるのかを判別して携帯端末２００との接続を確立するように動作する（ステップＳＴ１２０、ＳＴ１３０）。尚、携帯端末２００が屋外からの公衆回線を使って接続する時や周囲の環境等によってホームサーバ１００との接続状態が不安定になったり、接続ができない状態になる場合があるので、その際には携帯端末２００のメモリ内に現在ある情報や接続できない旨のメッセージを表示させ、機器の操作に入る。（ステップＳＴ１４０、ＳＴ１５０）。
【００３５】
近距離無線の場合（ステップＳＴ１２０）においては、ホームサーバ１００は、携帯端末２００との接続を確立させると、記録蓄積媒体内にあるユーザ固有の最新の個人用放送番組情報を携帯端末２００に送る（ステップＳＴ１６０、ＳＴ１７０）。携帯端末２００の液晶表示部２４０には、ホームサーバ１００から送られてきた放送番組情報が表示される（ステップＳＴ１８０）。そして、携帯端末２００の操作スイッチ２７０より所望の放送番組情報を選択する（ステップＳＴ１９０）。
【００３６】
次に、公衆回線の場合（ステップＳＴ１３０）においては、ホームサーバ１００は、携帯端末２００との接続を確立させると、記録蓄積媒体内にあるユーザ固有の最新の個人用放送番組情報を携帯端末２００に送る（ステップＳＴ２００、ＳＴ２１０）。携帯端末２００の液晶表示部２４０には、ホームサーバ１００から送られてきた放送番組情報が表示される（ステップＳＴ２２０）。そして、携帯端末２００の操作スイッチ２７０より所望の放送番組情報を選択する（ステップＳＴ２３０）。
【００３７】
このようにして、ホームサーバ１００と携帯端末２００とは、携帯端末２００の主導の元にホームサーバ１００を制御して所望の放送番組の再生及び録画予約の操作が行うことができる。
【００３８】
次に、屋内で携帯端末２００がホームサーバ１００に接続して、所望の放送番組情報（コンテンツ）を選択して再生する場合を図５に示す構成に基づいて図７に示す通信の手順（プロトコル）を参照しながら説明する。
【００３９】
まず、携帯端末２００がホームサーバ１００に接続して個人用の放送番組情報を取り出して選択する。この時の携帯端末２００とホームサーバ１００間の動作は、図７（Ａ）に示すように、ホームサーバ１００が常時携帯端末２００からの接続を待機している状態にあり、ユーザは携帯端末２００の操作ＳＷ２７０により屋外／屋内を選択する。図５においては、近距離無線に切り替えて接続要求（ＨＥＬＬＯ）をホームサーバ１００へ送信する。ホームサーバ１００は、この接続要求を受信すると接続処理を行い、その応答を携帯端末２００に返信する。携帯端末２００は、ホームサーバ１００へ接続を確認してホームサーバ１００に返信する。ホームサーバ１００は携帯端末２００が接続確認したことを了解する。これにより相互にデータ送受信を行う為の接続が確立される。
【００４０】
次に、相互の接続が確立されたら、携帯端末２００はホームサーバ１００内に蓄積されている個人用の放送番組情報を要求する。ホームサーバ１００は、この要求に従い記録蓄積媒体にある個人用の放送番組情報のデータを携帯端末２００へ送る。携帯端末２００は、総ての放送番組情報の受信が終了したことを確認してホームサーバ１００へ返信する。ホームサーバ１００は、携帯端末２００のデータ受信了解を確認する。これでホームサーバ１００に蓄積されている個人用の放送番組情報が携帯端末２００に取り込まれる。
【００４１】
続いて、個人の放送番組情報を受信した携帯端末２００の液晶表示部２４０には、放送番組名等が表示されるので、操作ＳＷ２７０により所望の放送番組情報（コンテンツ）を選択する（図５参照）と、ホームサーバ１００へユーザが選択した放送番組情報の選択情報が送信される。ホームサーバ１００は、放送番組情報の選択情報を受け取り、その確認応答を携帯端末２００へ返送する。携帯端末２００はホームサーバ１００からの応答を受信して、放送番組情報の選択が完了したことを確認する。
【００４２】
携帯端末２００は、放送番組情報の選択が完了すると、ホームサーバ１００との接続を解除する。この時、携帯端末２００は操作ＳＷ２７０の操作が一定時間行われないとホームサーバ１００に接続終了信号を送信する。ホームサーバ１００は、接続終了信号を受信すると切断処理を行い、携帯端末２００に応答を返送する。携帯端末２００は、接続の切断を確認してホームサーバ１００へ確認信号を返送する。ホームサーバ１００は、この確認信号を受信して携帯端末２００との切断を了解する。これでホームサーバ１００と携帯端末２００の間のデータ通信が終了となる。
【００４３】
次に、ホームサーバ１００は、選択された放送番組情報に基づき、既に録画されている放送番組であるのか、これから録画する放送番組なのかを判断して、接続されている家電機器３００の中で適切な機器を選択して指示を行う。例えば、図７（Ｂ）に示すように、既に録画されている放送番組であり、それがＶＣＲ３０３で録画されている場合は、ホームサーバ１００は、所定の放送番組の再生の動作要求をＶＣＲ３０３に送信する。ＶＣＲ３０３は、ホームサーバ１００の動作要求を受信して、要求の受付（又は拒否）の信号をホームサーバ１００へ返送する。ホームサーバ１００は、ＶＣＲ３０３からの信号により要求が了解（又は拒否）されたことを確認する。そして、ＶＣＲ３０３に再生の動作要求が了解されると、ホームサーバ１００は、ＶＣＲ３０３にセットされているテープ中の所望の放送番組が記録されている先頭位置等の情報を指示（送信）する。ＶＣＲ３０３は、ホームサーバ１００からの指示（再生開始位置等）を受け取ると、その指示に従い再生の準備を行い、ホームサーバ１００に了解を返送する。ホームサーバ１００は、ＶＣＲ３０３の了解を確認する。これでＶＣＲ３０３の再生準備が完了する。
【００４４】
続いて、ホームサーバ１００は、ＶＣＲ３０３の映像を映し出す為のＴＶ３０４に対して、ＶＣＲ３０３からの信号を再生するように入力切替の要求を行う。ＴＶ３０４は、この入力切替の要求を受信し、ホームサーバ１００へ受付の了解を返送する。ホームサーバ１００は、ＴＶ３０４の要求受付の了解を確認する。ＴＶ３０４の了解を確認すると、ホームサーバ１００の指示によりＶＣＲ３０３が所望の放送番組の再生を開始して、ＴＶ３０４に所望の放送番組の映像が映し出される。
【００４５】
以上説明したように、ホームサーバが個人別の放送番組情報を蓄積し、且つ、接続されている家電機器の制御を総て行うことにより、ユーザは携帯端末でデータベースに蓄積されている放送番組情報を呼び出して所望の放送番組情報を選択するだけでよいので再生又は録画予約できるＡＶ機器等の複雑な設定操作が不要になる。又、携帯端末は、無線通信により離れた場所からでも機器の操作できることに加え、公衆回線等のネットワークを介して屋外からホームサーバに接続してアクセスできるので居場所を問わずに録画予約等ができる。加えて、ホームサーバが各個人の放送番組情報を一元管理しており、必要な時に個人毎（携帯端末毎）に本人の趣向に合った番組情報が表示されるため不要な情報が表示されずに効率よく所望の情報を選択できるので携帯端末の消費電力が低減される。
【００４６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４７】
１００    ホームサーバ
１１０    ハードディスク
２００    携帯端末
３００    家電機器
３０１    チューナ
３０２    ハードディスク
３０３    ＶＣＲ
３０４    ＴＶ
４００    ネットワーク
２１０    ＣＰＵ
２２０    ＲＯＭ
２３０    メモリ
２４０    液晶表示部（ＬＣＤ）
２５０    表示コントローラ
２６０    Ｉ／Ｏコントローラ
２７０    操作ＳＷ
２８０    無線通信部
２８１    ＤＳ送信部
２８１ａ    ベースバンド部
２８１ｂ    ＩＦ−ＢＢ変復調器
２８１ｃ    ＩＦ−ＲＦ変調器
２８１ｄ    パワーＡＭＰ
２８１ｅ    アンテナ
２８２    ＦＨ送信部
２８２ａ    ベースバンド部
２８２ｂ    ＩＦ−ＢＢ変復調器
２８２ｃ    ＩＦ−ＲＦ変調器
２８１ｄ    アンテナ
２８３    ＳＷ
２８４    制御部
２８５    ＤＳ受信部
２８５ａ    ベースバンド部
２８５ｂ    ＩＦ−ＢＢ変復調器
２８５ｃ    ＩＦ−ＲＦ変調器
２８５ｄ    ＬＮＡ
２８５ｅ    アンテナ
２８６    ＦＨ受信部
２８６ａ    ベースバンド部
２８６ｂ    ＩＦ−ＢＢ変復調器
２８６ｃ    ＩＦ−ＲＦ変調器
２８６ｄ    ＬＮＡ
２８６ｅ    アンテナ
２８７    ＳＷ
２８８    制御部
【図１】
2011120248.tif 000003
【図２】
2011120248.tif 000004
【図３】
2011120248.tif 000005
【図４】
2011120248.tif 000006
【図５】
2011120248.tif 000007
【図６】
2011120248.tif 000008
【図７】
2011120248.tif 000009